(57)【要約】【課題】撮影範囲内にない誤った被写体情報が撮影画像に対応づけられないようにする。【解決手段】撮影地に設置された無線ＩＣタグには、予め被写体情報が記憶されている。カメラは、無線ＩＣタグの非接触メモリから発せられる被写体情報を非接触で読み取る一方、撮影レンズの向く方位を検出する。読み取った被写体情報に含まれる被写体方位範囲と、検出したレンズ方位とに基づき、レンズ方位が被写体方位範囲内の場合は、読み取った被写体情報を撮影画像に対応づけて記録するが、被写体範囲外の場合は被写体情報を撮影画像に対応づけない。【選択図】図２
2008167225.tif 000002
【特許請求の範囲】
【請求項１】
外部に設置された非接触メモリから発せられる情報を非接触で読み取る情報読み取り手段と、
対物レンズの向く方向を検出する方向検出手段と、
前記情報読み取り手段で読み取った情報の一部である、特定の物体の方向を示す方向情報と、前記方向検出手段で検出した方向とに基づいて、前記読み取った情報の使用の可否を決定する制御手段とを具備することを特徴とする光学装置。
【請求項２】
前記制御手段は、前記方向検出手段で検出した方向が、前記方向情報の示す方向範囲内である場合は、前記読み取った情報の使用を許可する一方、前記方向範囲外である場合は、前記読み取った情報の使用を不可とすることを特徴とする請求項１に記載の光学装置。
【請求項３】
外部に設置された非接触メモリから発せられる情報を非接触で読み取る情報読み取り手段と、
対物レンズの向く方向を検出する方向検出手段と、
前記情報読み取り手段で読み取った情報の一部である、特定の物体の方向を示す方向情報と、前記方向検出手段で検出した方向とに基づいて、前記読み取った情報のうち使用する情報を選定する制御手段とを具備することを特徴とする光学装置。
【請求項４】
前記対物レンズは撮影レンズであり、該撮影レンズの透過光束を受光して画像データを得る撮像手段を更に備えることを特徴とする請求項１〜３のいずれかに記載の光学装置。
【請求項５】
前記情報の使用は、該情報の前記画像データへの対応づけであることを特徴とする請求項４に記載の光学装置。
【請求項６】
前記情報の使用は、該情報の表示であることを特徴とする請求項１〜４のいずれかに記載の光学装置。
【請求項７】
前記情報の使用は、該情報に基づく当該光学装置の機能設定であることを特徴とする請求項１〜４のいずれかに記載の光学装置。
【請求項８】
前記方向検出手段は、前記対物レンズの水平面内における方位を検出する方位検出手段であることを特徴とする請求項１〜７のいずれかに記載の光学装置。
【請求項９】
前記方向検出手段は、前記対物レンズの鉛直面内における傾きを検出する傾き検出手段であることを特徴とする請求項１〜７のいずれかに記載の光学装置。
【請求項１０】
請求項１〜９のいずれかに記載の光学装置と、
特定の物体の方向を示す方向情報を含む情報が予め記憶され、その記憶情報を発信する非接触メモリとを有して成る情報配信／受信システム。
【請求項１１】
前記非接触メモリに記憶される情報は、該非接触メモリの設置場所付近から撮影可能な特定の被写体に関する情報を含むことを特徴とする請求項１０に記載の情報配信／受信システム。
【請求項１２】
前記非接触メモリに記憶される情報は、撮影に関するアドバイス情報を含むことを特徴とする請求項１０または１１に記載の情報配信／受信システム。
【請求項１３】
前記非接触メモリに記憶される情報は、該非接触メモリの設置場所に関する情報を含むことを特徴とする請求項１０〜１２のいずれかに記載の情報配信／受信システム。
【発明の詳細な説明】
【技術分野】
【０００１】
本発明は、非接触メモリからの信号を受信して物体に関する情報を得ることが可能な光学装置および情報配信／受信システムに関する。  
【背景技術】
【０００２】
被写体に取り付けられた無線ＩＣタグ（非接触メモリ）から被写体関連情報を非接触で読み取り、その被写体を撮影して得た画像と上記被写体情報とを対応づけて記憶可能な撮影装置が知られている（例えば、特許文献１参照）。
【０００３】
【特許文献１】特開２００５−３４８０２８号公報
【発明の開示】
【発明が解決しようとする課題】
【０００４】
無線ＩＣタグの電波は指向性がないため、そのＩＣタグが取り付けられた被写体Ａの近くであれば、別の被写体Ｂを撮影した場合でも被写体Ａの情報が取得され、被写体Ｂの画像に被写体Ａの情報が対応づけられて記憶されるおそれがある。上記特許文献１ではそのことは考慮されていない。
【課題を解決するための手段】
【０００５】
本発明に係る光学装置は、外部に設置された非接触メモリから発せられる情報を非接触で読み取る情報読み取り手段と、対物レンズの向く方向を検出する方向検出手段と、情報読み取り手段で読み取った情報の一部である、特定の物体の方向を示す方向情報と、方向検出手段で検出した方向とに基づいて、読み取った情報の使用の可否を決定する制御手段とを具備することを特徴とする。
方向検出手段で検出した方向が、方向情報の示す方向範囲内である場合は、読み取った情報の使用を許可する一方、前記方向範囲外である場合は、前記読み取った情報の使用を不可とするようにしてもよい。
本発明に係る他の光学装置は、上記情報読み取り手段と、方向検出手段と、情報読み取り手段で読み取った情報の一部である、特定の物体の方向を示す方向情報と、方向検出手段で検出した方向とに基づいて、読み取った情報のうち使用する情報を選定する制御手段とを具備することを特徴とする。
上記対物レンズとしての撮影レンズの透過光束を受光して画像データを得る撮像手段を更に有していてもよい。
上記情報の使用としては、例えばその情報の画像データへの対応づけ、その情報の表示、その情報に基づく光学装置の機能設定が考えられる。
方向検出手段として、対物レンズの水平面内における方位を検出する方位検出手段を用いてもよく、また対物レンズの鉛直面内における傾きを検出する傾き検出手段を用いてもよい。
本発明に係る情報配信／受信システムは、上述した光学装置と、特定の物体の方向を示す方向情報を含む情報が予め記憶され、その記憶情報を発信する非接触メモリとを有して成る。
非接触メモリに記憶される情報は、非接触メモリの設置場所付近から撮影可能な特定の被写体に関する情報を含んでいてもよいし、撮影に関するアドバイス情報を含んでいてもよく、また非接触メモリの設置場所に関する情報を含んでいてもよい。
【発明の効果】
【０００６】
本発明によれば、非接触メモリから得た情報が誤って使用されることがなくなる。
【発明を実施するための最良の形態】
【０００７】
図１および図２により本発明の一実施の形態を説明する。
図１において、１０は無線ＩＣタグ、２０は電子カメラである。無線ＩＣタグ１０は、ＩＣチップから成る不揮発性のメモリ部１１と、情報送受信用のアンテナ部１２とを含み、メモリ部１１に書き込まれている情報をアンテナ部１２から電波で発信することができる。本実施形態では、かかる無線ＩＣタグ１０を観光地などに設置することで撮影者の便宜を図るが、その詳細は後述する。なお、無線ＩＣタグ１０には、電池を内蔵するアクティブ型と内蔵しないパッシブ型とがあるが、本実施形態では、電波の到達距離の長いアクティブ型を用いるのが望ましい。
【０００８】
一方、カメラ２０は、撮影レンズ２１、撮像部２２、画像記録部２３、表示部２４、操作部２５、ＣＰＵ２６などを有する。撮像部２２は、撮影レンズ２１の透過光束を受光して光電変換する撮像素子、撮像素子の光電変換出力に種々の処理を施して画像データを生成する信号処理部、画像データの一時記憶部（バッファメモリ）などを含む。生成された画像データは、画像記録部２３を介してメモリカードなどの記録媒体に記録される。表示部２４は、例えば液晶モニタやその駆動回路を含み、画像データや文字情報の表示が可能とされる。操作部２５は、レリーズボタンを始めとする種々の操作部材、およびそれらの操作でオン・オフするスイッチを含む。
【０００９】
さらにカメラ２０には、ＩＣタグリーダ２７と、電子コンパス２８とが設けられる。ＩＣタグリーダ２７は、上記無線ＩＣタグ１０からの電波を受信するアンテナ２７ａと、その受信情報を読み取ってＣＰＵ２６に入力する読取部２７ｂとを含む。電子コンパス２８は、水平面内において撮影レンズ２１が向く方位（磁方位）を検出してＣＰＵ２６に入力する。
【００１０】
以上の構成において、上記無線ＩＣタグ１０は、主に観光地などの撮影ポイントに設置される。メモリ部１１には、予めそのポイントで撮影可能な特定の被写体（例えば、特定の山、湖、渓谷、建造物など）の名称や説明などが記憶されており、その記憶情報は、アンテナから電波で常に発信されている。電波は指向性を持たず、位置的、条件的に上記特定の被写体を撮影可能な範囲内にのみ電波が届くように、無線ＩＣタグ１０の設置位置や電波の到達距離が設定される。
【００１１】
その電波到達範囲内でカメラ２０の電源をオンすると、ＩＣタグリーダ２７がアンテナ２７ａを介して電波を受信し、被写体情報を読み取る。ＣＰＵ２６は、その情報をその場で表示部２４に表示し、撮影者に報知する。例えば電源オンに伴って撮像を開始し、画像を表示装置２４に逐次更新表示（スルー画表示）するカメラにおいては、スルー画と重ね合わせて被写体情報を表示してもよい。あるいは、被写体情報の表示はファインダ内表示であってもよい。
【００１２】
その後に撮影を行うと、ＣＰＵ２６は、生成された画像データに上記読み取った被写体情報を対応づけて記録する。後に画像データをカメラの表示部２４や外部モニタに表示する際、対応して記録した被写体情報を同時に表示することができる。
【００１３】
しかしながら、上記受信可能範囲内で撮影を行ったとしても、撮影レンズ２１が特定の被写体（無線ＩＣタグ１０の情報に対応する被写体）を向いているとは限らず、その点を考慮しないと誤った被写体情報が対応づけられてしまう。例えば、富士山の撮影ポイントとして知られた展望台に、富士山の情報を記憶させた無線ＩＣタグ１０を設置したとする。その展望台から富士山を臨める方位範囲は決まっており、その方位範囲外にレンズを向けて撮影しても当然ながら富士山は写らない。無線ＩＣタグ１０の電波は指向性がないため、受信可能範囲内であればレンズの向く方向に拘わらず富士山の情報を受信し、富士山が写っていない画像データにまで富士山の情報を対応づけてしまう。
【００１４】
かかる不都合を防止するため、本実施形態では、撮影レンズ２１が特定の被写体を捕らえていないときは、たとえ無線ＩＣタグ１０から被写体情報を受信していても、その情報を画像データに対応づけないようにした。これを実現するために、まず無線ＩＣタグ１０の情報に、特定被写体を臨める方位範囲（以下、被写体方位範囲）に関する情報を付加する。例えば富士山の撮影ポイントとしての展望台の場合は、そこから富士山の臨める方位範囲（例えば、磁方位で何度〜何度）を情報として無線ＩＣタグ１０に記憶させておく。
【００１５】
一方、カメラ２０には電子コンパス２８を設け、撮影レンズ２１の向く方位（以下、レンズ方位）を検出する。そして、検出したレンズ方位が無線ＩＣタグ１０から得た上記被写体方位範囲に含まれる場合に限り、上記被写体情報を事前に表示したり、画像データに対応づけて記録する。レンズ方位が被写体方位範囲に含まれない場合は、被写体情報を表示せず、また画像データに対応づけない。これにより誤った被写体情報の記録が抑制される。
【００１６】
なお、撮影者は、被写体情報が表示されないことをもって現在のレンズ方位では特定被写体を捕らえられないことを認識できるが、この被写体情報の表示自体はレンズ方位に拘わらず行い、それとは別に現在のレンズ方位では特定被写体は写らない旨の警告表示を行うようにしてもよい。あるいは、レンズを向けるべき方位、つまり被写体方位範囲を示唆する表示を行ってもよい。
【００１７】
ところで、撮影レンズ２１が実際に特定被写体を捕らえているか否かは、撮影レンズ２１の焦点距離によっても変わってくる。そこで、無線ＩＣタグ１０の上記方位範囲情報に、例えば「焦点距離＊＊ｍｍの場合」といった但し書き情報を加え、カメラ２０はその但し書き情報を撮影に先立って表示部２４に表示するようにすることが望ましい。また、その但し書き情報における焦点距離は、その場で特定被写体を撮影するにあたっての推奨焦点距離であることが望ましい。この情報に基づいて撮影者がその焦点距離となるようにズーミングを行えば、よりよい写真が得られると同時に、誤った被写体情報の記録がより一層抑制される。
【００１８】
図２は上述の制御をソフト的に実現するための処理手順の一例を示す。
カメラ２０に電源が投入されると、ＣＰＵ２６によってこのプログラムが起動され、まずステップＳ１で、被写体情報記録モードが設定されているか否かを判定する。このモードは、例えばメニュー設定において設定／非設定が切換えられるようになっており、非設定であれば、ステップＳ８で被写体情報記録フラグを０とし、ステップＳ９で被写体情報を非表示としてステップＳ１０に進む。この場合は通常の撮影モードとなる。
【００１９】
被写体情報記録モードが設定されている場合は、ステップＳ２において、ＩＣタグリーダ２７によって被写体情報が読み取られているか否かを確認する。読み取られていなければステップＳ８に進み、読み取られていればステップＳ３に進む。ステップＳ３では、読み取った被写体情報から上記被写体方位範囲を抽出し、さらにステップＳ４で電子コンパス２８からレンズ方位を取得する。
【００２０】
ステップＳ５では、レンズ方位が被写体方位範囲に含まれるか否かを判定し、含まれない場合はステップＳ８に進む。この場合は被写体情報が非表示となるが、上述したように表示してもよい。一方、レンズ方位が被写体方位範囲に含まれる場合は、ステップＳ６に進む。ステップＳ６では、被写体情報記録フラグを１とし、次いでステップＳ７において、読み取った被写体情報（特定被写体の名前や説明）を表示部２４に表示する。
なお、ステップＳ５が肯定された後、レリーズボタンが半押し操作されるに伴って被写体情報を表示するようにしてもよい。
【００２１】
ステップＳ１０でレリーズボタンのレリーズ操作が確認されると、ステップＳ１１で撮像を行い、画像データを得る。ステップＳ１２では上記被写体情報記録フラグの状態を判定し、０であればステップＳ１３に進み、上記画像データに基づいて、被写体情報を含まない画像ファイルを作成し、ステップＳ１５で画像ファイルをメモリカード等に記録する。一方、被写体情報記録フラグが１であればステップＳ１４に進み、画像データに基づいて、被写体情報を含む画像ファイルを作成し、ステップＳ１５に進む。
【００２２】
なお、無線ＩＣタグに記憶させておく情報は、特定被写体の名前や説明などの被写体情報に限定されず、被写体情報に代えて（あるいは加えて）、その被写体を撮影するにあたってのアドバイス情報や、撮影地（無線ＩＣタグの設置場所）に関する情報を記憶させておいてもよい。これらの情報もカメラ側で読み取ることが可能であり、上記ステップＳ５が肯定されたときに表示部２４に表示したり、画像データに対応づけて記録することができる。
【００２３】
上記アドバイス情報としては、特定被写体を撮影するにあたっての推奨撮影パラメータ（例えば、露出値、露出補正量、ホワイトバランス）や、推奨撮影姿勢（縦位置か横位置か）、画面の縦横比（例えば、通常モードかパノラマモードか）、閃光発光の有無などが考えられる。これらのアドバイス情報は単に表示するだけでなく、ＣＰＵ２６がアドバイス情報に基づいてカメラ２０の機能設定を自動的に行うようにしてもよい（例えば、アドバイス情報に含まれる推奨露出値を自動的に設定する）。さらにまた、例えばプロの写真家が撮影した特定被写体の画像を参考画像として無線ＩＣタグに記憶させておき、これをカメラ２０が取得して再生表示できるようにしてもよい。
【００２４】
図３により他の実施形態を説明する。
先の実施形態では、レンズ方位に基づいて被写体情報の使用の有無を決定したが、本実施形態では、レンズ方位に基づいて使用する被写体情報を選定する。以下、具体例を説明する。
【００２５】
例えば、周囲３６０度全体を見渡すことが可能な展望タワーに無線ＩＣタグ１０を設置することを考える。この場合は、いずれの方位にレンズを向けて撮影してもよいが、レンズを向ける方位によって撮影される特定被写体が変わってくる。そこで、周囲３６０度（必ずしも３６０度でなくてもよい）を幾つかの方位範囲に分割し、それぞれの分割方位範囲に撮影可能な被写体の情報を対応づけ、その対応関係を無線ＩＣタグ１０に予め記憶させておく。カメラ２０のＣＰＵ２６は、その被写体方位範囲情報を取得すると、電子コンパス２８で検出したレンズ方位が上記いずれの分割方位範囲に含まれるかを判別し、レンズ方位が含まれる分割方位範囲に対応する被写体情報を抽出する。そして、その被写体情報を表示部２４に表示したり、画像データに対応づけて記録する。
【００２６】
図３は本実施形態の制御を実現するための手順の一例を示し、図２のステップＳ３，Ｓ５に代えてステップＳ５１，Ｓ５２を設けたものである。
なお、本実施形態においても上記アドバイス情報や、撮影地に関する情報を用いることができる。アドバイス情報は、分割方位範囲によって自ずと異なる。
【００２７】
以上は撮影レンズの水平面内における方位を検出する例を示したが、垂直面内における撮影光軸の傾きを検出し、これに基づいて同様の制御を行ってもよい。特に方位と傾きの組み合わせで特定被写体が捕らえられるか否かを判断したり、捕らえられる被写体を判別することで、誤った情報の表示や対応づけがより一層抑制される。
【００２８】
また以上は電子カメラにて説明したが、静止画あるいは動画の撮影機能を持つあらゆる光学機器に本発明は適用可能である。例えばビデオカメラに適用した場合は、無線ＩＣタグから読み取った情報を映像に対応づけて記録し、映像再生時にその情報を画面にスーパーインポーズ表示することができる。スーパーインポーズ表示は、表示／非表示を切換えられるようにすることが望ましい。
【００２９】
さらに、撮影機能のない光学機器、例えば情報表示装置を備えた望遠鏡や双眼鏡にも本発明を適用可能である。これらの光学機器は、無線ＩＣタグから得た情報を表示装置に表示可能であるが、上記の制御を適用することで誤った情報の表示が抑制できる。特に展望台等に設置される望遠鏡に上記の機能を持たせるとよい。
【００３０】
無線ＩＣタグの設置場所は屋外に限らず、屋内でもよい。特定被写体も風景だけでなく、特定の物体や動植物であってもよい。
【図面の簡単な説明】
【００３１】
【図１】本発明の一実施形態におけるカメラと無線ＩＣタグとを示す図。
【図２】カメラの動作を説明するフローチャート。
【図３】他の実施形態におけるカメラの動作を示すフローチャート。
【符号の説明】
【００３２】
１０  無線ＩＣタグ
２０  カメラ
２１  撮影レンズ
２２  撮像部
２４  表示部
２７  ＩＣタグリーダ
２８  電子コンパス
【図１】
2008167225.tif 000003
【図２】
2008167225.tif 000004
【図３】
2008167225.tif 000005